(57)【特許請求の範囲】
【請求項１】
複数の踏み板の両端が、併設された支柱に間隔を隔てて回動自在に取付けられ、上端部に係止部材を有する梯子であって、
該梯子本体と、
該梯子本体の上端部に設けられた係止部材と、
を有し、該係止部材が、取付け部材及び該取付け部材の先端に取付けられた押圧部材を有し、前記梯子本体の上端部に前記取付け部材の基部が、ラチェット解除部材を備えたラチェット装置により回動自在に取りつけられ、前記取付け部材の先端に押圧部材の基部が、ラチェット解除部材を備えた第２のラチェット装置により回動自在に取りつけられていることを特徴とする梯子。
【請求項２】
前記係止部材が、前記併設された支柱の上端部に支柱の長手方向に添って進退動自在に形成されていることを特徴とする請求項１記載の梯子。
【請求項３】
前記梯子本体の上端部に設けられた係止部材の少なくとも下部が、前記併設された支柱の上部に形成された空間内に支柱の長手方向に進退動自在に収納されていることを特徴とする請求項１又は２に記載の梯子。
【請求項４】
前記ラチェット装置に形成された外周に多数の歯を備えたつめ車と、
該つめ車の外周近傍に回動自在に形成され、回動すると先端がつめ車の歯と係合し、係止部材を折り曲げた状態の取付け部材と係止部材を係止する係止目的物との当接面に他端が突出する戻止部材と、を有し、
該戻止部材の他端が係止目的物に押圧されると、回動した先端が、つめ車の外周の歯と係合し、ラチェット装置が逆回転できないことを特徴とする請求項１から３のいずれかに記載の梯子。
【発明の詳細な説明】
【０００１】
【発明の属する技術分野】
本発明は、梯子に関するものである。
【０００２】
【従来の技術】
従来の梯子は、一般に建造物等に単に立掛けるものであり、梯子の下端を地面に置き、梯子の上端を建造物等係止目的物に単に立掛けるだけであった。従って傾斜面や凹凸のある面或は軟弱な地面等の場合大変使い難いため、下端部に種々の工夫がなされていた。
【０００３】
折畳める梯子としては、長手方向に二つ折りにして脚立兼用とした梯子が知られていた。幅方向に折畳める梯子としては、実開平１−７０９９９号があった。この梯子は、一対の縦柱間に複数の踏桟が幅方向に折畳めるように形成してあり、縦柱の上端に掛止具が固定してあった。この梯子の掛止具は、列車のドアレールにのみ引っ掛けられる構造になっており、列車の他の位置を始め他の建造物には引っ掛け難い構造になっていた。即ち、鉄道車輌の出入口から路面上へ出るための専用の折畳み式の梯子である。
【０００４】
従来の避難梯子には、本願の出願人が出願した特願２００１−２７９１３１号があった。この避難梯子は、火災や地震等の災害時に人が建造物の内部から外部に脱出可能な窓やベランダ等の略水平に形成された敷居や手摺等形状や幅、太さ等の異なる任意の水平部材（係止目的物）に着脱自在に係止できる係止部材を備えていた。この避難梯子は、一旦係止部材を係止した水平部材に火が回ったり損傷して危険な状態になったとき、この水平部材から係止部材を取外し、他の安全な水平部材に繰返し係止し直すことにより、人が避難可能な時間を延長し、より多くの人を脱出できるようにするものであった。
【０００５】
この避難梯子は、幅方向に折畳み自在に形成されていたが、折畳んだ時、係止部材が、支柱の外周の放射方向に突出しており、保管時の邪魔になると共に保管中に損傷し易く、意匠上から見てもスマートさに欠けていた。この避難梯子は、避難用として開発したものであるから、一般の梯子のように対象物に立てかけて使用するには、上端部の係止部材が邪魔になり使い難かった。
【０００６】
【発明が解決しようとする課題】
本発明の梯子は、前記避難梯子を更に改良したもので、下記のような梯子を提供するものである。第１に、折畳んだ状態では、全体が１本の棒状になり、支柱の外周方向には突出しておらず、保管スペースの縮小と保管時の損傷をなくし、折畳み時の移動、持ち運び、取扱いを容易化した梯子である。第２に、ベランダの手摺、窓の敷居、塀垣の上端等形状、大きさ、或は、太さ等の異なる係止目的物に安定状態で係止できる係止部材を上端に設けた梯子である。第３に、傾斜地面、凹凸のある地面、軟らかな地面でも安全に使用できるように、係止部材を係止する係止目的物に固定できるものである。第４に、一般用としても、避難用としても使える梯子である。
【０００７】
【課題を解決するための手段】
本発明の梯子は、複数の踏み板の両端が、併設された支柱に間隔を隔てて回動自在に取付けられ、上端部に係止部材を有する梯子であって、該梯子本体と、該梯子本体の上端部に設けられた係止部材と、を有し、該係止部材が、取付け部材及び該取付け部材の先端に取付けられた押圧部材を有し、前記梯子本体の上端部に前記取付け部材の基部が、ラチェット解除部材を備えたラチェット装置により回動自在に取りつけられ、前記取付け部材の先端に押圧部材の基部が、ラチェット解除部材を備えた第２のラチェット装置により回動自在に取りつけられていることを特徴とする。
【０００８】
前記係止部材を前記併設された支柱の上端部に支柱の長手方向に添って進退動自在に形成したり、前記係止部材の少なくとも下部を、併設された支柱の上部に形成された空間内に支柱の長手方向に進退動自在に収納したり、前記ラチェット装置に形成された外周に多数の歯を供えたつめ車と、該つめ車の外周近傍に回動自在に形成され、回動すると先端がつめ車の歯と係合し、係止部材を折り曲げた状態の取付け部材と係止部材を係止する係止目的物との当接面に他端が突出する戻止部材と、を有し、該戻防止部材の他が押圧されると、回動した先端が、つめ車の歯と係合し、ラチェット装置が逆回転できなくしたりすることもできる。
【０００９】
【発明の実施の形態】
図１乃至図５に示すように、幅方向に折畳み自在な梯子本体１には、複数の踏み板２が、併設された支柱５，６に架設され、各踏み板２の両端は、軸３，４により回動自在に取付けられている。梯子本体１を垂直に立てて折畳んだ時、位置がずれて下側となる側の支柱６に軸４により回動自在に軸止された踏み板２が水平になると当接し、踏み板２を水平に維持する水平維持部材７を形成する。即ち、支柱６に回動自在に踏み板２を取付けた軸４の下側に、踏み板２が水平になると当接する水平維持部材７を設ける。踏み板２の形状は、１本の棒状に拘るものではなく、２本の棒の央部で回動自在に形成され、支柱５，６の間隔をを広げると１本の棒状になるものであっても良い（図示せず）。
【００１０】
併設された支柱５，６の上端に係止部材１１を設ける。係止部材１１は、取付け部材１２と押圧部材１３を備えている。取付け部材１２の基部にラチェット装置１４を設け、押圧部材１３の基部に第２のラチェット装置１５を設ける。
【００１１】
取付け部材１２の基部のラチェット装置１４を前記支柱５，６の先端に回動自在に取付ける。取付け部材１２の先端には、押圧部材１３の基部の第２のラチェット装置１５を回動自在に取付ける。ラチェット装置１４と第２のラチェット装置１５を夫々回動してコ状にした時の押圧部材１３の先端部内側に揺動自在な押圧部１６を形成する。
【００１２】
即ち、併設された支柱５，６の上端或は上端部にラチェット装置１４により取付け部材１２の基部を回動自在に設け、この取付け部材１２の先端に第２のラチェット装置１５により押圧部材１３の基部を回動自在に取付けたものである。
【００１３】
ラチェット装置１４と第２のラチェット装置１５とは、図３に示すように、外周に多数の歯２１を有する歯車状のつめ車２２と、つめ車２２の外周の歯２１と係合し、つめ車２２の逆回転を防止する戻止部材２３を有している。戻止部材２３の基部は、つめ車２２の外周近傍に回動自在に軸止され、先端は、弾性体２４により常時つめ車２２の歯２１と係合する方向に付勢され、つめ車２２は逆回転できなくなっている。戻止部材２３の基部には、ラチェット解除手段としての解除部材２５が突設されている。この解除部材２５の先端は、ラチェット装置１４と第２のラチェット装置１５の外部に露出しており、外部から解除部材２５を操作することによりつめ車２２の歯２１から戻止部材２３の先端が外れたときにのみつめ車２２が逆回転できるように形成されている。
【００１４】
なお、支柱５，６、取付け部材１２、押圧部材１３の横断面形状をコ状で図示しているが、コ状に拘るものではなく、環状や無垢状等如何なる形状であっても良い。又、係止部材１１を支柱５，６の上端に回動自在に取付けた状態を図示し説明しているが、支柱５，６の上端に、踏み板２と同様の両端が回動自在に取付けられた部材を設け、この部材に係止部材１１を回動自在に取付けることもできる（図示せず）。
【００１５】
図１５により、上記構成の梯子の使用方法を説明する。何れか一方の支柱５，６を回動して併設された支柱５，６の間隔を広げて踏み板２を水平に維持し、ラチェット装置１４を回動して取付け部材１２を略直角に折り曲げ、水平部材Ｙに直角に折り曲げた取付け部材１２を係止する。次に、水平部材Ｙの形状に合わせて第２のラチェット装置１５を回動して押圧部材１３を折り曲げ、押圧部材１３の最先端の押圧部１６により水平部材Ｙの内側の面を押圧し水平部材Ｙに係止部材１１を固定する。水平部材Ｙが手摺など棒状に形成され下方が空間となっているときは、この棒状の水平部材Ｙを支柱５，６の上端部と取付け部材１２と押圧部材１３とで囲むように取り付ける。
【００１６】
支柱５，６の各先端にラチェット装置１４を介して取付け部材１２が取り付けられ、取付け部材１２の先端に第２のラチェット装置１５を介して押圧部材１３が夫々回動自在に取り付けられており、これらのラチェット装置１４と第２のラチェット装置１５には戻止部材２３が備えられているので、係止部材１１をコ状に折り曲げ、建造物の水平部材Ｙに係止しても、係止部材１１が伸びて棒状になることがないから、避難用としての梯子を水平部材Ｙに安全に係止して脱出できる（図１５参照）。
【００１７】
水平部材Ｙから避難梯子を取外すときは、第２のラチェット装置１５の解除部材２５を操作して第２のラチェット装置１５を解除した後、第２のラチェット装置１５を逆回転させて押圧部材１３と取付け部材１２を一直線状にする。押圧部材１３と取付け部材１２が一直線状になった避難梯子を水平部材Ｙから取外し屋内に取り入れる。屋内に取り入れた避難梯子を他の水平部材Ｙに取付ける時は、前記操作を繰返す。
【００１８】
避難梯子を保管するときは、上記の状態からさらに、ラチェット装置１４の解除部材２５を操作してラチェット装置１４を解除した後、ラチェット装置１４を逆回転させて取付け部材１２と支柱５，６を一直線状にする。しかる後、複数の踏み板２の両端が回動自在に取りつけられた支柱５，６からなる梯子本体１を折畳むと、避難用としての梯子は、図１に示すように、２本の支柱５，６を束ねた状態の１本の棒状になる。
【００１９】
上記梯子には、ラチェット装置１４と第２のラチェット装置１５が設けてあるので、形状や厚さ、太さ等の異なる多様な水平部材Ｙに自在に係止できる。したがって、慌しい緊急災害時においても大変使い易い避難用の梯子となる。
【００２０】
上記ラチェット装置１４と第２のラチェット装置１５には、夫々ラチェット解除手段である解除部材２５が備えられているので、係止部材１１を係止した水平部材Ｙに火が回ったり破壊されたときでも、簡単に取り外して他の安全な水平部材Ｙに繰返し係止し直すことができる。したがって、人が脱出できる時間を延長することができる。
【００２１】
以上の説明は、避難用として用いた場合である。一般の梯子として用いる場合には、係止目的物（水平部材Ｙに拘らず）に立掛けて使用することもできる。すなわち、併設された支柱５，６の間隔を広げ、踏み板２を水平にした状態で係止目的物に立掛けて使用する。使用後は、係止目的物から取外して、梯子本体１を折畳むだけで１本の棒状の梯子となる。従って、従来の梯子と同様の作用効果を備えている。
【００２２】
使用場所が、傾斜地、凹凸のある場所、軟弱な地面、等であっても、上述したように、梯子の上端をコ状にして確実に係止することができるので、安定した状態で梯子を使用することができる。
【００２３】
場合によっては、下記のようにして使用することもできる。両支柱５，６の間隔を広げ踏み板２を水平にしてから、前述の説明と同様にラチェット装置１４と第２のラチェット装置１５を回動して係止部材１１をコ状にする。コ状の係止部材１１は、係止目的物である水平部材Ｙの形状に合わせゆとりを持たせて決める。係止部材１１をコ状にした梯子を前記水平部材Ｙに係止する。コ状の係止部材１１を水平部材Ｙに確実に固定したいときは、第２のラチェット装置１５を再度回動して固定する。
【００２４】
以上のような構成の梯子であるから、使用条件の悪い傾斜地等々であっても、係止部材１１と水平部材Ｙを係止し或は固定できるので、安全性が格段に向上する。又、片一方の係止部材１１しか固定できない場合であっても、安全性が高い。
【００２５】
更に、１本の棒状に折畳める梯子であるから、屋内保管用は勿論、自動車のキャリー上に搭載したり、車内に搭載しても場所を取らず邪魔にもならず、前述のように係止部材１１が破損することもない。従って、各種工事業者の作業用やキャンプ等レジャー時等の自動車搭載用梯子としても使い勝手の良く、活用場面の広い梯子である。
【００２６】
図６乃至図９に示すように、併設された支柱５，６の上端に空間３１を設け、係止部材３２を空間３１に収納可能な大きさと形状で形成し、この係止部材３２の少なくとも下部を出没自在に埋設し、進退動自在に取付けることができる。図では、横断面コ状の支柱５，６を図示し、コ状の内部の上部を空間３１としている。空間３１の上端は、封止部材３３で封止されており、封止部材３３には、前記係止部材３２を棒状に延ばした状態で引き上げることができる孔３４が形成されている。係止部材３２の下端には、この孔３４よりも大きな膨大部３５が形成され抜き取れないようになっている。図では、係止部材３２の略全体が空間３１内の収納された状態で図示しているが、係止部材３２の下方の一部のみを空間３１内に収納できるものであっても良い。
【００２７】
図示した係止部材３２の形状は異なるが、作用効果は、前記実施例と同様である。尚、図６では、係止部材３２を空間３１内に収納した状態で図示しているが、入れ子式としたり、或は、支柱５，６の側部に添えて進退動自在とすることもでき、折畳んだ状態の梯子が、全体で棒状になれば、後述する図１０乃至図１２の実施例等のように、多様な形状や手段が採用できる。図６乃至図９において、符号３６は取付け部材、符号３７は押圧部材、符号３８はラチェット装置、符号３９は第２のラチェット装置、符号４０は押圧部をそれぞれ示す。
【００２８】
上記構成の梯子は、前記避難用の梯子と同様の作用効果に加え、支柱５，６の上端に空間３１を設け、空間３１内に係止部材３２を出没自在に収納した（或は進退動自在に形成した）ので、折畳んだ状態が１本の棒状となり、係止部材３２が外周方向に突出しておらず、意匠的にもスッキリとした形状が得られると共に、保管時に係止部材３２が損傷し、災害時に使用不能と言うことがなく、狭い場所でも保管できるから保管場所に苦労することもない。
【００２９】
図１０乃至図１２に示すように、図８、図９で示した空間３１を支柱５，６の上端部脇に空間５１として設けることもできる。この空間５１は、支柱５，６の上端部脇に添設した筒体５２内に形成されている。この筒体５２の上端は、孔５３を有する封止部材５４により封止されている。この空間５１には、係止部材３２が直線状で収納され、孔５３から引き上げられるようになっている。引き上げられた係止部材３２は、前記実施例同様に、ラチェット装置３８と第２のラチェット装置３９で折り曲げられ、水平部材Ｙに係止される。又、図では、空間５１を筒体５２内に設けているが、筒体５２ではなく他の方法で空間５１を設けても良いことは、前述の通りである。作用効果は、前記実施例と同様である。
【００３０】
図１３は、本発明に係る梯子の第１のラチェット装置の要部拡大縦断面図である。ラチェット装置１４，３８の戻止部材４１は、全体としてＬ型で、角部をつめ車２２の外周近傍の取付け部材１２の位置に回動自在に軸止されている。戻止部材４１の長辺は、突出部４２となって、取付け部材１２，３６の外部に延設されいて、係止部材１１，３２をコ状に折り曲げて水平部材Ｙに係止したときに、水平部材Ｙと当接する位置に突出している。係止部材１１，３２を折り曲げて水平部材Ｙに係止したときこの突出部４２が押圧されて、つめ車２２の歯２１と戻止部材４１の短辺の先端が係合し、つめ車２２が逆回転できなくなる。
【００３１】
尚、戻止部材４１は、図示したものに拘ることなく、コ状に折り曲げた係止部材１１，３２の内面である取付け部材１２，３６の外周に突出した戻止部材４１の他端の突出部４２を押圧すると、つめ車２２の歯２１と戻止部材４１の先端が係合し、つめ車２２が逆回転できなければ、如何なる戻止部材４１であっても良い。
【００３２】
図１４は、また別の例である。同図に示すように、取付け部材１２，３６をコ状に折り曲げたとき内面側となる取付け部材１２，３６の外周に、付勢力を有する戻止部材４５の基部を固着し、コ状に折り曲げた係止部材１２，３６を水平部材Ｙに係止した時の押圧力により戻止部材４５の先端をつめ車２２の外周の歯２１に係合させることもできる。
【００３３】
図１３、図１４に示したラチェット装置１４，３８は、戻止部材４１，４５を備えているので、コ状に折り曲げた係止部材１１，３２を建造物等の水平部材Ｙに係止し、下方に荷重をかけるほど戻止部材４１の他端の突出部４２或は戻止部材４５が押圧され、戻止部材４１，４５の先端がつめ車２２の歯２１に係合するから、コ状に折り曲げた係止部材１１，３２を水平部材Ｙに係止している時は、つめ車２２が逆回転できず、支柱５，６と取付け部材１２，３６とが伸びて棒状になることがなく、誤作動により水平部材Ｙから係止部材１１，３２が外れることがなく、大変安全な梯子である。
【００３４】
尚、前記構成の複数の梯子本体１を伸縮自在に形成しても、折畳めば複数本の支柱５，６を束ねた状態の１本の棒状の梯子となる。前述の実施例を、これらの幅方向に折畳み自在にして長さ方向に伸縮自在な梯子、及び、幅方向にも長さ方向にも折畳み自在な梯子に施すことができる（図示せず）。
【００３５】
【発明の効果】
本願発明に係る梯子は、複数の踏み板の両端が、併設された支柱に回動自在に取付けられた梯子の上端部の係止部材が、取付け部材と取付け部材の先端に押圧部材を有し、梯子の上端部と取付け部材の基部がラチェット装置により、取付け部材の先端と押圧部材の基部が第２のラチェット装置により回動自在に取りつけられているので、両支柱間を拡開し、ラチェット装置と第２のラチェット装置を折り曲げると、係止部材が、任意の幅のコ状にできるから、人が脱出可能な建造物の幅や太さ等異なる形状の係止目的物である水平部材を任意に選択して安全に係止し固定でき、緊急を要し寸時を争う災害時に大変使い易い。
【００３６】
ラチェット装置と第２のラチェット装置には、ラチェット解除手段としての解除部材が設けてあるので、解除部材を操作してラチェット装置と第２のラチェット装置の何れか一方或は両方を解除すると、係止した係止目的物（水平部材）から簡単に係止部材を取外して他の係止目的物（水平部材）に係止し直すことができる。これによって、一旦係止した係止目的物（水平部材）が危険状態になったら他の安全な係止目的物（係止部材）に係止し直すことができ、脱出可能時間を延長することができる。
【００３７】
上記構成の梯子は、支柱間を折畳み、解除部材の操作によりラチェット装置と第２のラチェット装置を解除し形止部材を引伸ばすと、全体がスマートな１本の棒状となり係止部材が外周方向に突出することもない。したがって、狭い建造物内、殊に災害時の移動や取扱いが容易であり、保管場所が限定されず建造物内の僅かなスペースに保管できる。鴨居の上等室内の目立つ場所に保管しても見苦しくない。
【００３８】
以上の効果は、係止部材が支柱の上端に取付けられた梯子や係止部材が支柱の上端部に進退動自在に形成された梯子の場合であっても同様である。
【００３９】
係止部材の少なくとも下部が、支柱の上部に形成された空間内に進退動自在に収納され、殊に、係止部材の略全体が収納される場合は、棒状に折畳んだ時の損傷し易い係止部材が、支柱の上部の空間内に埋没した状態で収納され、外部に露出している部分が少ないから、スマートに保管できるのみならず、保管時の破損を防止することができる。
【００４０】
ラチェット装置の戻止部材の他端が、係止部材を建造物の係止目的物（水平部材）に係止している時に押圧され戻止部材の先端が常につめ車の外周の歯に係合しているので、誤作用により使用中に係止部材が伸延し係止目的物（水平部材）から外れることがなく、安全である。これは、災害時の避難用としての梯子の場合に特に重要である。
【００４１】
上記効果は、梯子の中でも災害時に使う避難梯子の効果中心にを列記したものであるが、以下の記載は、一般の梯子としての効果に関する記載である。先ず第１に、折畳むと１本の棒状となり、支柱から放射方向に突出していないので、車輌に搭載しても場所を取らないから、各種工事業者等やレジャー時等の車輌用搭載梯子として利用できる。
【００４２】
次に、係止部材が、ラチェット装置と第２のラチェット装置により２ヶ所で回動自在に形成されているので、コ状に折り曲がり水平部材等に確実に係止できるから、傾斜地など使用条件の悪い場所であっても安心して使える。更に、コ状にして係止目的物（水平部材）に係止した上で、第２のラチェット装置を再度回動すると、係止目的物（水平部材）に係止部材を確実に安定状態で固定できるから、安全性が高い。
【図面の簡単な説明】
【図１】本発明に係る梯子の一部省略斜視図である（折畳み状態）。
【図２】本発明に係る梯子の一部省略斜視図である（拡開状態）。
【図３】ラチェット装置の説明図である。
【図４】本発明に係る梯子の一部省略拡大縦断面図である（折畳み状態）。
【図５】本発明に係る梯子の一部省略拡大縦断面図である（拡開状態）。
【図６】本発明に係る梯子の一部省略斜視図である（折畳み状態）。
【図７】本発明に係る梯子の一部省略斜視図である（拡開状態）。
【図８】本発明に係る梯子の一部省略拡大縦断面図である（折畳み状態）。
【図９】本発明に係る梯子の一部省略拡大縦断面図である（拡開状態）。
【図１０】本発明に係る梯子の一部省略斜視図である（折畳み状態）。
【図１１】本発明に係る梯子の一部省略斜視図である（拡開状態）。
【図１２】本発明に係る梯子の一部省略拡大縦断面図である（折畳み状態）。
【図１３】本発明に係る梯子の第１のラチェット装置の要部拡大縦断面図である。
【図１４】本発明に係る梯子の第１のラチェット装置の要部拡大縦断面図である。
【図１５】本発明に係る梯子の使用状態の説明図である。
【符号の説明】
１        梯子本体
２        踏み板
５，６        支柱
１１，３２        係止部材
１２，３６        取付け部材
１３、３７        押圧部材
１４，３８        ラチェット装置
１５、３９        第２のラチェット装置
２０        ラチェット装置
２１        多数の歯
２２        つめ車
２３，４１，４５        戻止部材
２５        ラチェット解除手段としての解除部材
３１、５１        空間
Ｙ        係止目的物である水平部材
【図１】
0003904424.tif 000002
【図２】
0003904424.tif 000003
【図３】
0003904424.tif 000004
【図４】
0003904424.tif 000005
【図５】
0003904424.tif 000006
【図６】
0003904424.tif 000007
【図７】
0003904424.tif 000008
【図８】
0003904424.tif 000009
【図９】
0003904424.tif 000010
【図１０】
0003904424.tif 000011
【図１１】
0003904424.tif 000012
【図１２】
0003904424.tif 000013
【図１３】
0003904424.tif 000014
【図１４】
0003904424.tif 000015
【図１５】
0003904424.tif 000016